(57)【特許請求の範囲】
【請求項１】
杖に取付けられる固定具であって、
前記杖に固定される基部と、
前記杖に対して平行となる状態から、垂直な状態へと回動するように前記基部に取り付けられたアーム部と、
前記アーム部より上方において、前記アーム部と同一方向に回動するように前記基部に軸支された吊上部と、
前記杖に対して垂直な状態となった前記アーム部に前記吊上部を係合させ、該アーム部の垂直状態を維持する係合部と
を有し、
前記吊上部は、前記基部に軸支された側と反対の自由端側にローラが軸支され、
前記係合部は、前記アーム部が前記垂直な状態となった際の上面に設けられ、前記アーム部の自由端側へ向けて突出されたサインカーブ状をなしたフック部材である
ことを特徴とする杖固定具。
【請求項２】
前記アーム部の自由端側の先端は、上方に向けて湾曲されたＵ字型のカーブが形成されており、
前記カーブの曲率は、前記吊上部の回動に適合するように形成されている
ことを特徴とする請求項１に記載の杖固定具。
【請求項３】
前記吊上部は金属部材で形成され、
前記アーム部及び前記係合部の上面は磁性を帯びた部材で形成され、
前記ローラは、前記アーム部又は前記係合部の上面に対する接触状態が維持されつつ回動する
ことを特徴とする請求項１及び２に記載の杖固定具。
【発明の詳細な説明】
【技術分野】
【０００１】
本考案は、杖を起立した状態で倒れない様に固定する固定具に関する。
【背景技術】
【０００２】
従来、杖を起立した状態で倒れないように固定することができる固定具として、例えば、特許文献１に開示されたものがある。この固定具は、杖に対する取り付け部と、この取り付け部に一方の端部を回動可能に軸支された固定板とから構成され、固定板は常にスプリングによって下方へ付勢され、通常は、杖に対して平行となる。そして、この固定具の使用時にあっては、固定板の先端を、机の縁などに上方から押しつけることにより、スプリングの付勢力に逆らって固定板を回動させて水平にし、この固定板により机を起立した状態とする。
【先行技術文献】
【特許文献】
【０００３】
【特許文献１】実用新案登録第３１３２８７９号公報
【発明の概要】
【発明が解決しようとする課題】
【０００４】
しかしながら、上述した特許文献１に開示された固定具では、使用の際、スプリングによる付勢力に逆らって固定板を押し拡げる構成であるため、机上面の摩擦状態によっては固定板が閉じてしまい、固定状態を維持することができない場合があった。
【０００５】
そこで、本発明は以上の点に鑑みてなされたもので、杖を固定するアーム部の水平状態を、簡単な操作により維持することができる固定具および杖固定具を提供することをその課題とする。
【課題を解決するための手段】
【０００６】
上記課題を解決するために、本発明は、杖に取り付けられる固定具であって、杖に固定される基部と、杖に対して平行となる状態から、垂直な状態へと回動するように基部に軸支された吊上部と、前記杖に対して垂直な状態となった前記アーム部に前記吊上部を係合させ、該アーム部の垂直状態を維持する係合部とを有し、前記吊上部は、前記基部に軸支された側と反対の自由端側にローラが軸支され、前記係合部は、前記アーム部が前記垂直な状態となった際の上面に設けられ、前記アーム部の自由端側へ向けて突出されたサインカーブ状をなしたフック部材であることを特徴とする。このような発明によれば、杖を固定する際、アーム部を回動させて水平（杖に対して垂直）にし、このアーム部により机を起立した状態とすることができる。このとき、吊上部がアーム部に係合され、上方からアーム部を吊り上げることができ、アーム部の水平状態を維持することができる。
【０００７】
上記発明において、アーム部の自由端側の先端は、上方に向けて湾曲されたＵ字型のカーブが形成されており、カーブの曲率は、吊上部の回動に適合するように形成されていることが好ましい。また、上記発明において、吊上部は金属部材で形成され、アーム部及び係合部の上面は磁性を帯びた部材で形成され、ローラは、アーム部又は係合部の上面に対する接触状態を維持しつつ回動することが好ましい。
【発明の効果】
【０００８】
本発明によれば、杖を固定するアーム部の水平状態を、簡単な操作により維持することができ、杖を机の縁などに掛け置いて固定する際に、安定した起立状態とすることができる。
【図面の簡単な説明】
【０００９】
【図１】実施形態に係る杖固定具の構成を示す斜視図である。
【図２】実施形態に係る杖固定具の構成を示す斜視図である。
【図３】実施形態に係るアーム部の構成を示す斜視図である。
【図４】実施形態に係る杖固定具における係合状態を示す説明図である。
【図５】変更例に係る杖固定具の構成を示す斜視図である。
【図６】変更例に係るアーム部の構成を示す斜視図である。
【発明を実施するための形態】
【００１０】
（杖固定具の構成）
本発明の実施形態について、図面を参照しつつ説明する。図１及び図２は、本実施形態に係る杖固定具の構成を示す斜視図である。同図に示すように、杖固定具１は、杖に取り付けられる固定具であって、杖に固定される基部１０を本体とし、この基部１０に、補助部材４０が嵌合され、この補助部材４０にアーム部３０と、吊上部２０とが取り付けられて構成されている。
【００１１】
前記基部１０は、杖２に平行な平面内において、杖２に垂直な方向に幅を有する板部材であり、例えば、ラバー等の合成樹脂や、ステンレス等の金属で成型される。この基部１０の中央には、杖２の水平断面形状とほぼ合致する拡開部１１が形成されている。この拡開部１１は、基部１０の弾性力によりその内径が拡開されるとともに、この弾性力により杖２の外周面を締め付け、基部１０を杖２に固定するようになっている。
【００１２】
また、基部１０は、その側部に、下方に突出した引掛部１０ｂを有している。この引掛部１０ｂは、机の上面に引っ掛けることにより、アーム部３０を用いた固定方法とは別に、簡易的に杖２を起立させることができる。さらに、引掛部１０ｂは、例えば手すりやフックなどに引っ掛けることもできるように鍵状をなしている。
【００１３】
さらに、基部１０の上面には、杖２を挟んだ両側に、杖２の側面から所定距離だけ離隔した位置に一対の突出部１０ａが突出されている。この突出部１０ａは、例えば、鞄のストラップなどを杖に引っ掛ける際、鞄が滑り落ちるのを防止するものである。
【００１４】
また、杖２には、止め具１３が備えられている。止め具１３は、杖２に固定した基部１０の落下を防止するリング部材である。止め具１３には、リングのある一部分において杖２と水平方向にスリット状の切り目を有しており、その切り目の両端側には、切り目に対して垂直な方向にリングを貫通する貫通孔を備えている。そして、この貫通孔にネジ等が貫通され、このネジ等を締め付けることで、止め具１３が締め付けられ、止め具１３は杖２に固定される。
【００１５】
本実施形態において、この止め具１３は、杖２を締め付ける基部１０の内部に配置され、基部１０を支持するように止め具１３の上面部分が基部１０に嵌合する構成となっている。これにより、基部１０が杖２から滑り落ちるのを防止することができる。なお、止め具１３の取り付け場所は、本実施形態に限定されず、基部１０が杖２より滑り落ちることを防止できればよく、基部１０の取り付け位置の下部に設置しても良い。
【００１６】
補助部材４０は、基部１０側部の下方において、基部１０に嵌合された部材であり、例えば、ラバー等の合成樹脂や、ステンレス等の金属で成型されている。この補助部材４０には、アーム部３０と、吊上部２０とが取付けられており、この補助部材４０を基部１０に連結することにより、アーム部３０や吊上部２０による機能が追加されることとなる。なお、この補助部材４０は、本実施形態では、基部１０とは別の部材で形成し、基部１０に取付ける構成としたが、基部１０と一体成形してもよい。
【００１７】
アーム部３０は、杖２に対して平行となる状態（閉止状態）から、垂直な状態（垂直状態）へと回動するように補助部材４０に取り付けられた板部材である。アーム部３０は、軸部３２を介して補助部材４０に連結され、この軸部３２を中心として自由に回動し、閉止止状態から垂直状態へと変化する。また、このアーム部３０は、スプリング３３により、通常時は閉止状態となるように下方へ向けて付勢され、杖２に平行な状態を維持するようになっている。
【００１８】
また、アーム部３０の下面は、粘着性のシート３４が貼り付けられており、机上面に掛け置いたときなどに、この粘着シート３４の粘性により、机正面に密着させることができる。なお、この粘着シート３４の表面には、溝やスリット、トレッドパターンなどの凹凸を設け、グリップ力を高めるようにしてもよい。さらに、アーム部３０の自由端側の先端は、上方に向けて湾曲されたカーブ３０ａが形成されている。このカーブ３０ａは、Ｕ字型に形成されており、アーム部３０が閉止状態である場合には、例えば、鞄のストラップなどを引っ掛けることができる。また、このカーブ３０ａの曲率Ｒは、吊上部２０の回動に適合するように形成されている。
【００１９】
前記吊上部２０は、アーム部３０より上方において、杖に対して平行となる状態から、垂直な状態へと回動するように補助部材４０に取り付けられたＵ字形の金具である。この吊上部２０は、補助部材４０の取付孔２２に挿入されて、取付孔２２を中心として自由に回動するようになっている。また、軸支された側と反対の自由端側には、ローラ２１が取り付けられている。
【００２０】
アーム部３０の上面（閉止状態における外側表面）には、吊上部２０が引っ掛けられる係合部３１（３１ａ，３１ｂ）が設けられている。この係合部３１は、杖２に対して垂直な状態となったアーム部３０に吊上部２０を係合させるフック状の部材であり、アーム部３０の自由端側へ向けて突出されたサインカーブ状をなしている。また、本実施形態において係合部３１は、３１ａ，３１ｂというように上下２段に設けられており、係合部３１ａ又は３１ｂを選択して、吊上部２０を係合させることによって、アーム部３０の開閉角度を２段階に調節することができるようになっている。
【００２１】
そして、係合部３１で、吊上部２０をアーム部３０に係合させることにより、アーム部３０を上方から吊り上げて、アーム部３０の垂直状態を維持する。さらに、本実施形態では、アーム部３０の、係合部３１が形成された面、及び係合部３１は、磁性を帯びたマグネットとなっており、金属でできた吊上部２０が密着され、アーム部３０の不使用時に、吊上部２０がぶらついて邪魔になるのを防止している。
【００２２】
このような杖固定具によれば、杖２を固定する際、スプリング３３の付勢力に逆らってアーム部３０を回動させて水平（杖に対して垂直）にし、このアーム部３０を机等の上面に引っかけて、杖２を起立した状態とすることができる。
【００２３】
このとき、アーム部３０の先端にはカーブ３０ａが形成されていることから、閉止状態にあるアーム部３０を机正面などに押しつけることにより、カーブ３０ａの湾曲に従って、アーム部３０が押し拡げられ、水平状態とすることができる。これにより、片手などでワンタッチでアーム部３０を開くことができる。
【００２４】
このアーム部３０の回動に際しては、図３及び図４に示すように、アーム部３０が押し拡げられることにより、吊上部２０も上方に押し上げられ、アーム部３０の上面を滑動することとなる。本実施形態では、アーム部３０の上面、及び係合部３１がマグネットで形成され、且つ、吊上部２０の先端にはローラ２１が取付けられていることから、吊上部２０は、アーム部３０又は係合部３１の上面に対する接触状態を維持しつつ回動する。このとき、係合部３１は、サインカーブ状をなしているため、ローラ２１は、係合部３１を滑らかに乗り越えつつ、接触状態を維持することとなる。
【００２５】
また、仮に、弾みでアーム部３０の上面から吊上部２０が離れてしまったときでも、アーム部３０の先端にはカーブ３０ａが形成されているため、ぶらついた吊上部２０をカーブ３０ａにより巻き込み、係合部３１へと導くことができ、確実に吊上部２０を係合部３１に係合させることができる。
【００２６】
そして、ローラ２１が係合部３１を乗り越えるまでアーム部３０を押し拡げ、その後、若干下方(閉止状態)へ戻るように、押し拡げる力を弱めることで、係合部３１を乗り越えて行き過ぎたローラを、係合部３１のフックに引っ掛けることができ、アーム部３０が水平状態となる。吊上部２０がアーム部３０の係合部３１に係合されることによって、この吊上部２０で上方からアーム部３０を吊り上げることができ、アーム部３０の水平状態を維持することができる。
【００２７】
このように、本実施形態によれば、杖２を固定するアーム部３０の水平状態を、簡単な操作により維持することができ、杖２を机の縁などに掛け置いて固定する際に、安定した起立状態とすることができる。
【００２８】
（変更例）
なお、上述した各実施形態の説明は、本発明の一例である。このため、本発明は上述した実施形態に限定されることなく、本発明に係る技術的思想を逸脱しない範囲であれば、設計等に応じて種々の変更が可能である。
【００２９】
例えば、本実施形態の吊上部２０は、図５（ａ）及び（ｂ）に示すように、金属のロッドの先端を三角形状に屈曲させ、軸支された側と反対の自由端側（三角形の底辺側）に、ローラ２１を取り付ける構成としてもよい。このような吊上部では、三角形状の先端に軸支されたローラ２１により係合部３１ｂに引っかけて固定する。
【００３０】
また、本実施形態のアーム部３０は、例えば、図６に示すように、一枚板上にサインカーブ状の溝を構成した係合部１３１を、アーム部３０に嵌め込み、この溝に吊上部２０を係合させるようにしてもよい。また、本実施形態において、アーム部３０は、上下２段に係合部３１を設けているが、係合部３１の設置数は、これに限定するものではなく、２以上の係合部３１を構成させるようにしてもよい。この場合には、アーム部３０の開閉角度をより詳細に設定することができる。
【符号の説明】
【００３１】
１…杖固定具
２…杖
１０…基部
１０ａ…突出部
１０ｂ…引掛部
１１…拡開部
１３…止め具
２０…吊上部
２１…ローラ
２２…取付孔
３０…アーム部
３０ａ…カーブ
３１（３１ａ，３１ｂ）…係合部
３２…軸部
３３…スプリング
３４…粘着シート
４０…補助部材
１３１（１３１ａ，１３１ｂ）…係合部
【図１】
0005390368.tif 000002
【図２】
0005390368.tif 000003
【図３】
0005390368.tif 000004
【図４】
0005390368.tif 000005
【図５】
0005390368.tif 000006
【図６】
0005390368.tif 000007